(57)【要約】【課題】外部条件に対する感度を過度に良くしない、制御電流に従って発振信号を生成する装置と方法とを提供する。【解決手段】発振周波数に対応する制御電流を受け、これに従って発振信号（１７０）を生成する方法である。遅れモジュール（８８）により、制御電流に従って第１の負荷（１５６ａと１５８ａ）を切り替えて第１の差分信号（１６０ａ）を作り、また制御電流に従って第２の負荷（１５６ｂおよび１５８ｂ）を切り替えて第２の差分信号（１６０ｂ）を作る。第１の負荷（１５６ａと１５８ａ）と第２の負荷（１５６ｂと１５８ｂ）とは逆に動作する。スルー・レート調整器（９０）により、差分信号（１６０）を発振信号（１７０）に変換する。【選択図】図４
2005160093.tif 000002
【特許請求の範囲】
【請求項１】
制御電流に従って発振信号を生成する方法であって、
発振周波数に対応する制御電流を受け、
１つ以上の第１の差分信号と１つ以上の第２の差分信号とを生成し、そのために、１つ以上の段の各段毎に、
少なくとも第１の集合のトランジスタで構成する第１の負荷を前記制御電流に従って
切り替えて前記第１の差分信号を作ることと、
前記第１の集合のトランジスタに結合して前記第１の集合のトランジスタと逆に動作
する少なくとも第２の集合のトランジスタで構成する第２の負荷を前記制御電流に従っ
て切り替えて前記第２の差分信号を作ることと、
を実行し、
前記発振周波数に実質的に比例する周波数を有する発振信号を前記１つ以上の第１の差分信号と前記１つ以上の第２の差分信号とに従って生成する、
発振信号を生成する方法。
【請求項２】
制御電流に従って発振信号を生成する装置であって、
遅れモジュールであって、
発振周波数に対応する制御電流を受け、
１つ以上の第１の差分信号と１つ以上の第２の差分信号とを生成し、そのために、１
つ以上の段の各段毎に、
少なくとも第１の集合のトランジスタで構成する第１の負荷を前記制御電流に従っ
て切り替えて前記第１の差分信号を作ることと、
前記第１の集合のトランジスタに結合して前記第１の集合のトランジスタと逆に動
作する少なくとも第２の集合のトランジスタで構成する第２の負荷を前記制御電流に
従って切り替えて前記第２の差分信号を作ることと、
を実行する遅れモジュールと、
前記遅れモジュールに結合して、前記発振周波数に実質的に比例する周波数を有する発振信号を前記１つ以上の第１の差分信号と前記１つ以上の第２の差分信号とに従って生成するスルー・レート調整器と、
で構成する発振信号を生成する装置。
【発明の詳細な説明】
【技術分野】
【０００１】
本発明は一般に集積回路の分野に関するもので、より特定すると制御電流に従う発振信号の生成に関するものである。
【背景技術】
【０００２】
発振器は回路設計で特定の周波数を有する信号を生成するのに用いられることが多い。例えば、モノリシック発振器はオンチップ・クロック源の生成に用いられる。公知のモノリシック発振器はインダクタンス・静電容量（ＬＣ）構成要素を持つ電圧制御発振器を含む。しかしＬＣ構成要素を用いると回路が大型になり、電力消費が増える。
【発明の開示】
【発明が解決しようとする課題】
【０００３】
他の公知の発振器は電流／電圧制御発振器を含む。しかしこれらの公知の発振器は、しばしば外部条件に対する感度が良過ぎることがある。一般に発振器は外部条件に対する感度が良過ぎないことが望ましい。
【課題を解決するための手段】
【０００４】
本発明では、従来の発振器に付随する欠点や問題が軽減されまたは除去される。
本発明の１つの実施の形態では、制御電流に従って発振信号を生成することは発振周波数に対応する制御電流を受けることを含む。制御電流に従って第１の負荷を切り替えて第１の差分信号を作りまた制御電流に従って第２の負荷を切り替えて第２の差分信号を作ることにより、第１の差分信号と相補的な第２の差分信号とを生成する。第１の負荷と第２の負荷とは逆に動作する。
【０００５】
本発明の或る実施の形態では、制御電流に従う発振信号の生成は発振周波数に対応する制御電流を受けることを含む。制御バイアス電流に従って第１の負荷を切り替えて真の差分遅れ要素を作ることにより、第１の差分信号と相補的な第２の差分信号とを生成する。多数の遅れ要素を連続的に結合し、位相を１８０度反転して戻して、各遅れ要素の出力に差分発振を作ってよい。発振信号は制御バイアス電流に実質的に線形に比例する周波数を有する。
【０００６】
本発明の複数の実施の形態は１つ以上の技術的利点を与えてよい。１つの実施の形態の技術的利点は、トランジスタ集合が実質的に対称的な差分信号を生成することである。実質的に対称的な差分信号を用いて正確な５０パーセントのデューティ・サイクルを持つ発振信号を生成し、他方で０．５Ｖという低い電圧で生成する機能を与えてよい。
本発明の複数の実施の形態は上記の技術的利点を全く有しなくてもよいし、その全てまたは一部を有してもよい。１つ以上の他の技術的利点は、ここに示す図面や説明や特許請求の範囲から当業者に容易に明らかになる。
本発明とその特徴および利点とをよりよく理解するため、添付の図面と共に説明を参照されたい。
【実施例】
【０００７】
本発明の実施の形態とその利点は、図１から図５を参照すればよく理解することができる。各図の同じまた対応する部分には同じ番号を用いる。
図１は、発振信号を生成するための電流制御発振器を含む装置１０の１つの実施の形態のブロック図である。この装置は、差動遅れ要素を形成しまた実質的に対称的な差分信号を生成するトランジスタ集合を含んでよい。実質的に対称的な差分信号を用いて特定の発振周波数を持つ発振信号を生成してよい。
【０００８】
図の実施の形態では、装置１０はチャージ・ポンプ２０と、バイアス発生器２４と、遅れモジュール３０およびスルー・レート（ｓｌｅｗ  ｒａｔｅ）調整器３２を含む発振器モジュール２８とを含む。動作の１つの実施の形態では、チャージ・ポンプ２０は発振周波数に対応する制御情報３６をバイアス発生器２４に与える。バイアス発生器２４は制御情報３６に従って形成される制御電流３８を発振器モジュール２８に与える。発振器モジュール２８は発振周波数を有する発振信号４０を生成する。
【０００９】
この実施の形態では、チャージ・ポンプ２０は入力３４を受ける。入力３４は発振信号４０の発振周波数に対応する電圧または電流を含んでよい。入力３４は特定の制御電流３８を作る特定の制御情報３６を生成するよう調整され、この制御電流３８により特定の周波数を有する発振信号４０が生成される。チャージ・ポンプ２０は、例えば、積分チャージ・ポンプ４２と比例チャージ・ポンプ４４とで構成してよい。しかしチャージ・ポンプ２０は、バイアス発生器２４に制御情報３６を与えるのに用いられる任意の適当なチャージ・ポンプを含んでよい。
【００１０】
この実施の形態では、チャージ・ポンプ２０は入力３４に応じて制御情報３６を生成してよい。積分チャージ・ポンプ４２は入力３４に応じて積分電流を生成してよい。積分電流は制御電流の積分を含んでよい。比例チャージ・ポンプ４４は入力３４に応じて比例電流を生成してよい。比例電流は発振周波数に関連する周波数誤差に比例する電流を含んでよい。積分チャージ・ポンプ４２、または比例チャージ・ポンプ４４、またはその両者に入る入力３４を調整して特定の制御情報３６を生成してよい。
【００１１】
バイアス発生器２４は、制御情報３６に応じて制御電流３８を生成する。制御電流３８は発振周波数に対応する電流を含み、ほぼ発振周波数を有する発振信号を生成する。例えば、制御電流３８は積分電流と比例電流とにより生成されるバイアス電流を含んでよい。発振信号４０の周波数は制御電流３８を用いて調整してよい。
【００１２】
発振器モジュール２８は制御電流３８に応じて発振信号４０を生成する。遅れモジュール３０は制御電流３８に対応する周波数を有する差分信号５０を生成する。差分信号５０は発振周波数に実質的に等しい周波数を有する信号を含み、発振信号４０を生成するのに用いてよい。遅れモジュール３０は相互に関係して動作して実質的に対称的な差分信号５０を生成するトランジスタ集合を含む。スルー・レート調整器３２は差分信号５０のスルー・ポイント（ｓｌｅｗ  ｐｏｉｎｔ）を決定し、１つ以上の差分信号５０を１つ以上の発振信号４０に変換する。発振信号４０は発振周波数を有する信号を含んでよい。例えば、発振信号４０は実質的に方形の波形を有してよい。
【００１３】
装置１０は任意の適当なアプリケーションに用いてよい。例えば装置１０は、低電力で高性能のディジタル信号処理プロセッサ（ＤＳＰ）コアや、低電力の無線特殊用途向け集積回路（ＡＳＩＣｓ）や、低電力のＳＥＲＤＥＳインタフェースや、任意の他のアプリケーションに用いてよい。
【００１４】
本発明の範囲から逸れることなく、装置１０に変更や追加や削除を行ってよい。例えば装置１０は、より多い、またはより少ない、または別のモジュールを有してよい。また装置１０の動作を、より多い、またはより少ない、または別のモジュールで行ってよい。例えば、遅れモジュール３０とスルー・レート調整器３２との動作を１個のモジュールで行ってもよいし、遅れモジュール３０の動作を２個以上のモジュールで行ってもよい。また機能は、ソフトウエアやハードウエアやその他の論理を含む任意の適当な論理、またはこれらの任意の適当な組合せを用いて行ってよい。
【００１５】
図２は、発振信号を生成するための電流制御発振器を含む装置７０の１つの実施の形態を示す回路図である。図の実施の形態では、装置７０は図のように結合された、チャージ・ポンプ８０と、バイアス発生器８４と、遅れモジュール８８およびスルー・レート調整器９０を含む発振器モジュール８６とを含む。この実施の形態では、チャージ・ポンプ８０は発振信号の発振周波数に対応する制御情報を生成する。この実施の形態では、チャージ・ポンプ８０は積分チャージ・ポンプ９２と比例チャージ・ポンプ９４とを含む。
【００１６】
積分チャージ・ポンプ９２は入力に応じて積分電流を生成する。図の実施の形態では、積分チャージ・ポンプ９２は、図のように結合されたスイッチ１００と、アップ／ダウン・ポンプ電流源１１０と、コンデンサ１１４とを含む。積分電流Ｉｉｎｔは式（１）で示してよい。
【数１】
2005160093.tif 000003
ただし、Ｉ１は制御電圧ドレンＶｉｎｔに関連する電流、Ｒはバイアス発生器８４の抵抗器１３６の抵抗、Ｃ１はコンデンサ１１４の静電容量を表す。
【００１７】
比例チャージ・ポンプ９４は入力に応じて比例電流を生成する。図の実施の形態では、比例チャージ・ポンプ９４は図のように結合されたスイッチ１１８と、アップ／ダウン・ポンプ電流源１２０と、コンデンサ１２４とを含む。比例電流Ｉｐｒｏｐは式（２）で示してよい。
【数２】
2005160093.tif 000004
ただし、ωＥＲＲ＝ω１−ω０は発振信号の発振周波数の周波数誤差を表し、ｓｉｇｎ関数は、ｘ＞＝０のときｓｉｇｎ（ｘ）＝１、ｘ＜０のときｓｉｇｎ（ｘ）＝−１である。
【００１８】
バイアス発生器８４はチャージ・ポンプ８０から受ける制御情報から制御電流を生成する。制御情報は積分電流と比例電流と制御電圧とを含んでよい。制御電圧は特定の発振周波数を有する発振信号を生成するのに用いてよい。図の実施の形態では、バイアス発生器８４は、図のように結合された増幅器１３０と、トランジスタ１３２と、抵抗器１３６と、コンデンサ１３８とを含んでよい。制御電流は、ＩＢＩＡＳ＝Ｉｉｎｔ＋Ｉｉｎｔ−（Ｉｉｎｔ−Ｉｐｒｏｐ）により計算されるバイアス電流ＩＢＩＡＳを含んでよい。（Ｉｉｎｔ−Ｉｐｒｏｐ）の負の符号は、チャージ・ポンプ制御入力を意図的に反転して生成してよい。このように、チャージ・ポンプは逆の位相で動作してよい。図の実施の形態では、バイアス電流ＩＢＩＡＳは式（３）により生成してよい。
【数３】
2005160093.tif 000005
ただし、ｇｍはダイオード接続ＭＯＳＦＥＴの相互コンダクタンス、ｓは周波数Ｊω、Ｃ２はコンデンサ１２４の静電容量を表す。１つの実施の形態では、静電容量Ｃ２は静電容量Ｃ１の約１／２０でよい。
【００１９】
遅れモジュール８８は、発振信号を生成するのに用いてよい差分信号１６０を生成する。遅れモジュール８８による遅れは、バイアス電圧ＶＢＩＡＳを含む制御電圧で制御してよい。図の実施の形態では、遅れモジュール８８は、図のように結合されたトランジスタ１４０と１４２と、電流源１５０と、負荷１５４とを含む。電流源１５０は図のように結合されたトランジスタ１５２を含む。電流源１５０は制御電流を設定する。
【００２０】
負荷１５４は制御電流に従って差分信号１６０を生成する。図の実施の形態では、負荷１５４は、図のように結合されたトランジスタ１５６と１５８とを持つトランジスタ対で構成するトランジスタ集合１５５を含む。例えば、第１のトランジスタ集合１５５ａはトランジスタ１５６ａと１５８ａとを有するトランジスタ対で構成し、第２のトランジスタ集合１５５ｂはトランジスタ１５６ｂと１５８ｂとを有するトランジスタ対で構成する。トランジスタは、増幅や発振や切替え動作を行うデバイスをいう。例えば、トランジスタはＮ型の金属酸化膜半導体電界効果トランジスタ（ＭＯＳＦＥＴ）で構成してよい。遅れモジュール８８のＤＣ利得はトランジスタ１５６ａと１５８ａとの比で制御してよい。
【００２１】
トランジスタ集合１５５は互いに逆に動作してよい。すなわち、一方のトランジスタ集合１５５への入力がハイの場合は、他方のトランジスタ集合１５５への入力はローである。トランジスタ集合１５５は逆に動作して、位相が１８０度ずれた逆の差分信号を生成してよい。図の実施の形態では、トランジスタ集合１５５ａへの入力ＩＮ＋がハイの場合は、トランジスタ集合１５５ｂへの入力ＩＮ−をローにして、対称的な差分信号を作る。バイアス電流ＩＢＩＡＳを含む制御電流が大きくなると負荷１５４の切替えは早くなり、バイアス電流ＩＢＩＡＳが小さくなると負荷１５４の切替えは遅くなる。したがって、バイアス電流を用いて、負荷１５４が生成する信号の周波数を制御してよい。
【００２２】
スルー・レート調整器９０は、差分信号１６０を方形の波形信号などの発振信号１７０に変換する。差分信号１６０と発振信号１７０の例については、図３を参照して詳細に説明する。
【００２３】
図３は、スルー・レート調整器９０により発振信号１７０に変換される差分信号１６０の例を示す。差分信号１６０ａは発振信号１７０ａに変換され、差分信号１６０ｂは発振信号１７０ｂに変換される。スルー・レート調整器９０は差分信号１６０のスルー・ポイント１６２を識別することにより差分信号１６０を変換してよい。スルー・ポイント１６２は差分信号１６０ａと１６０ｂとの交点として識別してよい。スルー・レート調整器９０はスルー・ポイント１６２での傾斜を大きくして実質的に垂直傾斜にして、方形の波形発振信号１７０を生成する。図の例では、発振信号１７０は５０パーセントのデューティ・サイクルを有する実質的に方形の波形信号を含む。１つの実施の形態では、得られる５０パーセントのデューティ・サイクルは比較的正確である。
【００２４】
発振信号１７０の周期は継続時間ｎｔｄを有してよい。ただし、ｎは段数、ｔｄは各段の時間遅れを表す。段は差分信号を生成しまた差分信号を発振信号に変換するエンティティをいう。１つの段は、例えば、１個の遅れモジュール８８と１個のスルー・レート調整器９０とで構成する１個の発振器モジュール８６で構成してよい。多段装置の例については図５を参照して説明する。
【００２５】
時間遅れｔＤは式（４）に従って近似してよい。
【数４】
2005160093.tif 000006
ただし、ｔＤは１つの遅れ段の遅れ、αは直線性のための訂正係数、ＣＬは１つの遅れ段の負荷静電容量、Ｖｓｗｉｎｇは出力ノードでの全電圧振幅を表す。
【００２６】
図２に戻って、スルー・レート調整器９０は図のように結合されたトランジスタ１８０と１８８と、インバータ１９０と１９８とを含んでよい。スルー・レート調整器９０は差分信号１６０を、内部ノードの約５０パーセントのデューティ・サイクルを保持する高スルー・レートのレール・レール（ｒａｉｌ−ｔｏ−ｒａｉｌ）信号を含む発振信号１７０に変換してよい。発振信号１７０の周波数は１０ＭＨｚから５ＧＨｚの範囲でよい。
【００２７】
装置７０は異なる供給電圧ＶＤＤで異なる周波数を与えるようにしてよい。異なるドレン電圧で与えられる周波数の例を次に示す。例えば、ＶＤＤ＝０．６Ｖで４００ＭＨｚから８０ＭＨｚ、ＶＤＤ＝０．８Ｖで１．５ＧＨｚから３００ＭＨｚ、ＶＤＤ＝０．９Ｖで２．５ＧＨｚから５００ＭＨｚ、ＶＤＤ＝０．９Ｖで３．０ＧＨｚから８００ＭＨｚである。装置７０は高性能で低電力のアプリケーション用に形成してよい。異なる電力で与えられる周波数は、例えば、〜７ｍＷで３ＧＨｚ、〜３６０ｕＷで５００ＭＨｚである。
【００２８】
本発明の範囲から逸れることなく、装置７０に変更や追加や削除を行ってよい。
例えば装置７０は、より多い、またはより少ない、または別のモジュールを有してよい。また装置７０の動作を、より多い、またはより少ない、または別のモジュールで行ってよい。例えば、遅れモジュール８８とスルー・レート調整器９０との動作を１個のモジュールで行ってもよいし、遅れモジュール８８の動作を２個以上のモジュールで行ってもよい。また機能は、ソフトウエアやハードウエアやその他の論理を含む任意の適当な論理、またはこれらの任意の適当な組合せを用いて行ってよい。
【００２９】
装置７０の複数の実施の形態は１つ以上の技術的利点を提供することができる。１つの実施の形態の技術的利点は、高周波で動作しても必要な電源が小さいことである。１つの実施の形態の別の技術的利点は、装置７０の利得が動作温度やプロセス変動に無関係であることである。１つの実施の形態の更に別の利点は、広範囲の周波数で動作しても装置７０の利得が一定であることである。１つの実施の形態の更に別の利点は、装置７０を位相固定ループ設計やその他の同様の回路に一層効果的に組み込めることである。１つの実施の形態の更に別の利点は、ＬＣ構成要素を用いるデバイスに比べて装置７０のサイズと電力消費とが小さいことである。
【００３０】
図４は、発振器モジュールの遅れモジュール２００の別の実施の形態の回路図である。図の実施の形態では、遅れモジュール２００は電流源２１０と負荷２１２とを含む。電流源２１０は、図に示すように負荷２１２のトランジスタ２２４と２２８とに結合するトランジスタ２２０を含む。負荷２１２はＰ型ＭＯＳＦＥＴなどのトランジスタで構成してよい。遅れモジュール２００は図２の装置７０に用いてよく、装置７０のデバイスは相補型デバイスで置き換えられる。
【００３１】
本発明の範囲から逸れることなく、遅れモジュール２００に変更や追加や削除を行ってよい。例えば遅れモジュール２００は、より多い、またはより少ない、または別のモジュールを有してよい。また遅れモジュール２００の動作を、より多い、またはより少ない、または別のモジュールで行ってよい。例えば、電流源２１０と負荷２１２との動作を１個のモジュールで行ってもよいし、負荷２１２の動作を２個以上のモジュールで行ってもよい。また機能は、ソフトウエアやハードウエアやその他の論理を含む任意の適当な論理、またはこれらの任意の適当な組合せを用いて行ってよい。
【００３２】
図５は、発振信号を生成するための多段発振器モジュール２５０の１つの実施の形態のブロック図である。図の実施の形態では、多段発振器モジュール２５０は図に示すように結合された遅れモジュール２６０とスルー・レート調整器２７０とを含む。図の多段発振器モジュール２５０は４個の遅れモジュール２６０と４個のスルー・レート調整器２７０とを含むが、多段発振器モジュール２５０は任意の数の遅れモジュール２６０とスルー・レート調整器２７０と、例えば、８個の遅れモジュール２６０と８個のスルー・レート調整器２７０とを含んでよい。
【００３３】
１つの実施の形態では、或る段は１個の遅れモジュール２６０とこれに対応するスルー・レート調整器２７０とを含む。遅れモジュール２６０は正の差分信号と負の差分信号とを生成し、これらは、対応するスルー・レート調整器２７０により正と負の信号２９０とにそれぞれ変換される。したがって、ｎ個の段は２つのｎ個の信号を生成してよい。この実施の形態では、発振信号２９０は異なる位相を有してよい。信号２９０の位相Φｉは次の信号２９０の位相Φｉ＋１から遅れ時間ｔｄだけずれる。遅れ時間は遅れモジュール２６０により導入された遅れを表し、これは式（４）で計算してよい。ｎ段の装置２５０では、ｎｘｔｄ＝３６０度である。
【００３４】
本発明の範囲から逸れることなく、発振器モジュール２５０に変更や追加や削除を行ってよい。例えば、発振器モジュール２５０は、より多い、またはより少ない、または別のモジュールを有してよい。また、発振器モジュール２５０の動作を、より多い、またはより少ない、または別のモジュールで行ってよい。例えば、遅れモジュール２６０とスルー・レート調整器２７０との動作を１個のモジュールで行ってもよいし、遅れモジュール２６０の動作を２個以上のモジュールで行ってもよい。また機能は、ソフトウエアやハードウエアやその他の論理を含む任意の適当な論理、またはこれらの任意の適当な組合せを用いて行ってよい。
【００３５】
図６は、本発明に従って用いてよい発振信号を生成する方法の１つの実施の形態を示す流れ図である。この方法は任意の適当な装置で用いてよい。例示の目的で、図２の装置７０を用いてこの方法を説明する。この方法はステップ３００で開始し、バイアス発生器８４は制御情報を受ける。制御情報は制御電圧と積分電流と比例電流とを含んでよい。ステップ３１０で、バイアス発生器８４は制御情報に従って制御電流を生成する。
【００３６】
ステップ３１２で、第１の負荷を制御電流に従って切り替えて第１の差分信号１６０ａを作る。第１の負荷はトランジスタ１５６ａと１５８ａとで構成してよい。ステップ３１８で、第２の負荷を制御電流に従って切り替えて第２の差分信号１６０ｂを作る。第２の負荷はトランジスタ１５６ｂと１５８ｂとで構成してよい。これはトランジスタ１５６ａと１５８ａとで増加するとこれに応じて減少する。ステップ３２０で、スルー・レート調整器９０は差分信号１６０を出力発振信号１７０に変換する。差分信号１６０を変換すると、この方法は終了する。
【００３７】
本発明の範囲から逸れることなく、この方法に変更や追加や削除を行ってよい。また、本発明の範囲から逸れることなく、各ステップを任意の適当な順序で実行してよい。
【００３８】
本発明の複数の実施の形態は１つ以上の技術的利点を与えてよい。１つの実施の形態の技術的利点は、トランジスタ集合が実質的に対称的な差分信号を生成することである。実質的に対称的な差分信号を用いて正確な５０パーセントのデューティ・サイクルを持つ発振信号を生成し、他方で０．５Ｖという低さで生成する機能を与えてよい。
【００３９】
本発明の或る実施の形態とその利点について詳細に説明したが、当業者はクレームにより規定される本発明の精神と範囲から逸れることなく種々の変更や追加や削除を行うことができる。
【００４０】
以上の説明に関して更に以下の項を開示する。
（１）  制御電流に従って発振信号を生成する方法であって、
発振周波数に対応する制御電流を受け、
１つ以上の第１の差分信号と１つ以上の第２の差分信号とを生成し、そのために、１つ以上の段の各段毎に、
少なくとも第１の集合のトランジスタで構成する第１の負荷を前記制御電流に従って
切り替えて前記第１の差分信号を作ることと、
前記第１の集合のトランジスタに結合して前記第１の集合のトランジスタと逆に動作
する少なくとも第２の集合のトランジスタで構成する第２の負荷を前記制御電流に従っ
て切り替えて前記第２の差分信号を作ることと、
を実行し、
前記発振周波数に実質的に比例する周波数を有する発振信号を前記１つ以上の第１の差分信号と前記１つ以上の第２の差分信号とに従って生成する、
発振信号を生成する方法。
【００４１】
（２）  前記発振周波数に対応する入力を受けることと、
前記入力により前記制御電流を生成することと、そのために、
前記制御電流の積分を含む積分電流を受け、
前記発振周波数に関連する周波数誤差に比例する比例電流を受け、
前記積分電流と前記比例電流とを加算して前記制御電流を作る、
ことを更に含み、
ここで、前記第１の負荷を前記制御電流に従って切り替えて前記第１の差分信号を作ることは前記制御電流に従って遅れを導入することを更に含み、
前記第１の差分信号は５０パーセントのデューティ・サイクルを持つ実質的に方形の波形を有し、前記第２の差分信号は５０パーセントのデューティ・サイクルを持つ実質的に方形の波形を有する、
（１）に記載の発振信号を生成する方法。
【００４２】
（３）  前記１つ以上の第１の差分信号と前記１つ以上の第２の差分信号とに従って前記発振信号を生成することは或る段の第１の差分信号の波形を方形波形に変換することを更に含み、そのために、
前記段の前記第１の差分信号と第２の差分信号との交点を含む、前記第１の差分信号の複数のスルー・ポイントを識別し、
前記第１の差分信号の各スルー・ポイントの傾斜を大きくする、
（１）に記載の発振信号を生成する方法。
【００４３】
（４）  制御電流に従って発振信号を生成する装置であって、
遅れモジュールであって、
発振周波数に対応する制御電流を受け、
１つ以上の第１の差分信号と１つ以上の第２の差分信号とを生成し、そのために、１
つ以上の段の各段毎に、
少なくとも第１の集合のトランジスタで構成する第１の負荷を前記制御電流に従っ
て切り替えて前記第１の差分信号を作ることと、
前記第１の集合のトランジスタに結合して前記第１の集合のトランジスタと逆に動
作する少なくとも第２の集合のトランジスタで構成する第２の負荷を前記制御電流に
従って切り替えて前記第２の差分信号を作ることと、
を実行する遅れモジュールと、
前記遅れモジュールに結合して、前記発振周波数に実質的に比例する周波数を有する発振信号を前記１つ以上の第１の差分信号と前記１つ以上の第２の差分信号とに従って生成するスルー・レート調整器と、
で構成する発振信号を生成する装置。
【００４４】
（５）  前記遅れモジュールに結合するバイアス発生器であって、
前記発振周波数に対応する入力を受けることと、
前記入力に従って前記制御電流を生成することと、そのために、
前記制御電流の積分を含む積分電流を受け、
前記発振周波数に関連する周波数誤差に比例する比例電流を受け、
前記積分電流と前記比例電流とを加算して前記制御電流を作る、
ことを行うバイアス発生器を更に備え、
ここで、前記遅れモジュールは前記制御電流に従って遅れを導入することにより前記第１の負荷を前記制御電流に従って切り替えて前記第１の差分信号を作り、
前記第１の差分信号は５０パーセントのデューティ・サイクルを持つ実質的に方形の波形を有し、前記第２の差分信号は５０パーセントのデューティ・サイクルを持つ実質的に方形の波形を有する、
（４）に記載の発振信号を生成する装置。
【００４５】
（６）  前記スルー・レート調整器は、或る段の第１の差分信号の波形を方形の波形に変換することにより、前記１つ以上の第１の差分信号と前記１つ以上の第２の差分信号とに従って前記発振信号を生成し、そのために、
前記段の前記第１の差分信号と第２の差分信号との交点を含む、前記第１の差分信号の複数のスルー・ポイントを識別し、
前記第１の差分信号の各スルー・ポイントの傾斜を大きくする、
（４）に記載の発振信号を生成する装置。
【００４６】
（７）  制御電流に従って発振信号を生成する装置であって、
発振周波数に対応する制御電流を受ける手段と、
１つ以上の第１の差分信号と１つ以上の第２の差分信号とを生成する手段であって、そのために、１つ以上の段の各段毎に、
少なくとも第１の集合のトランジスタで構成する第１の負荷を前記制御電流に従って
切り替えて前記第１の差分信号を作ることと、
前記第１の集合のトランジスタに結合して前記第１の集合のトランジスタと逆に動作
する少なくとも第２の集合のトランジスタで構成する第２の負荷を前記制御電流に従っ
て切り替えて前記第２の差分信号を作ることと、
を実行する手段と、
前記発振周波数に実質的に比例する周波数を有する発振信号を前記１つ以上の第１の差分信号と前記１つ以上の第２の差分信号とに従って生成する手段と、
を備える発振信号を生成する装置。
【００４７】
（８）  制御電流に従って発振信号（１７０）を生成することは、発振周波数に対応する制御電流を受けることを含む。制御電流に従って第１の負荷（１５６ａと１５８ａ）を切り替えて第１の差分信号（１６０ａ）を作ることにより、また制御電流に従って第２の負荷（１５６ｂおよび１５８ｂ）を切り替えて第２の差分信号（１６０ｂ）を作ることにより、第１の差分信号（１６０ａ）と第２の差分信号（１６０ｂ）とを生成する。第１の負荷（１５６ａと１５８ａ）と第２の負荷（１５６ｂと１５８ｂ）とは逆に動作する。
【図面の簡単な説明】
【００４８】
【図１】本発明に従って用いてよい発振信号を生成するための装置の１つの実施の形態のブロック図である。
【図２Ａ】発振信号を生成するための装置の１つの実施の形態を示す回路図である。
【図２Ｂ】発振信号を生成するための装置の１つの実施の形態を示す回路図である。
【図３】発振信号に変換してよい差分信号の例を示す図である。
【図４】遅れモジュールの１つの実施の形態の回路図である。
【図５】発振信号を生成するための多段発振器モジュールの１つの実施の形態のブロック図である。
【図６】本発明に従って用いてよい発振信号を生成するための方法の１つの実施の形態を示す流れ図である。
【符号の説明】
【００４９】
８８  遅れモジュール
９０  スルー・レート調整器
１５６，１５８  負荷
１６０  差分信号
１７０  発振信号
【図１】
2005160093.tif 000007
【図２Ａ】
2005160093.tif 000008
【図２Ｂ】
2005160093.tif 000009
【図３】
2005160093.tif 000010
【図４】
2005160093.tif 000011
【図５】
2005160093.tif 000012
【図６】
2005160093.tif 000013